(57)【特許請求の範囲】
【請求項１】
コンクリートスラブ等の床基盤から複数の支持脚により所定の高さに床を支持し、支持脚下端に弾性体を設け、床を支持脚が取付けられた床下地パネルを複数並べ、これらを連結した床構造において、
各床下地パネルの同一方向片側に取付けられた支持脚の弾性体のみを床基盤に固着したことを特徴とする床構造。
【請求項２】
さらに、振動対策を施したい周波数帯域における床の振動モードを解析して振動の振幅が最大となる位置に配された支持脚の弾性体をも床基盤に固着したことを特徴とする請求項１記載の床構造。
【請求項３】
支持脚内部に上下に貫通する注入孔を形成し、弾性体内部にこの注入孔に連通する貫通孔を形成するとともに弾性体底面に複数の溝を形成し、注入孔から貫通孔へ接着剤を注入し、注入された接着剤が溝に入って床基盤と弾性体とを固着することを特徴とする請求項１又は２に記載の床構造。
【請求項４】
前記支持脚は、前記弾性体の中心孔には受金具が取り付けられ、前記受金具の下端が取り付けられ上端が床を支持する脚部とからなり、
前記受金具の水平方向に延びるフランジ部を前記弾性体に形成された複数の突起で支持することを特徴とする請求項１ないし３のいずれか１項に記載の床構造。
【発明の詳細な説明】
【０００１】
【発明の属する技術分野】
この発明は、コンクリートスラブ等の床基盤から複数の支持脚により所定の高さに床を支持し、支持脚下端に弾性体を設けた床構造に関する。
【０００２】
【従来の技術】
従来の床構造としては、図２８及び図２９に示すように、コンクリートスラブ等の床基盤１００から複数の支持脚１０１により所定の高さに床１０２を支持し、支持脚１０１の下端は防振用にゴムなどの弾性体１０３を設けたものが知られている。図２９に示す従来例は、床１０２の周囲が支持脚１０１ではなく際根太１０４で支持されたものを示す。そして、これら従来例における支持脚１０１の弾性体１０３は床基盤１００上に置かれるだけであり、床基盤１００に固着されてはいなかった。
【０００３】
【発明が解決しようとする課題】
図２８及び図２９に示す床１０２上にタイヤ２００を所定の高さから落下させて重量床衝撃音遮断性能を観察した場合、床１０２に曲げ波が発生し、図２８の従来例では床１０２の周囲で弾性体１０３が床基盤１００をたたき床衝撃音遮断性能を悪化させていた。床１０２の周囲が際根太１０４で固定された図２９に示すものでも、図中矢印のように振動が伝播し、遮断性能がさらに悪くなっていた。
【０００４】
そこで、この発明は、重量床衝撃音遮断性能を向上させた床構造を提供することを目的とする。
【０００５】
【課題を解決するための手段】
上述の目的を達成するため、この発明は、コンクリートスラブ等の床基盤から複数の支持脚により所定の高さに床を支持し、支持脚下端に弾性体を設けた床構造において、少なくとも床面周囲を支持する支持脚の弾性体を床基盤に固着したものである。また、コンクリートスラブ等の床基盤から複数の支持脚により所定の高さに床を支持し、支持脚下端に弾性体を設け、床を支持脚が取付けられた床下地パネルを複数並べ、これら床下地パネル上に捨張を設け、捨張上に仕上材を設けて形成した床構造において、各床下地パネルの同一方向片側に取付けられた支持脚の弾性体のみを床基盤に固着したものである。さらに、コンクリートスラブ等の床基盤から複数の支持脚により所定の高さに床を支持し、支持脚下端に弾性体を設けた床構造において、振動対策を施したい周波数帯域における床の振動モードを解析して振動の振幅が最大となる位置に配された支持脚の弾性体を床基盤に固着したものである。
【０００６】
【発明の実施の形態】
以下に、この発明の好適な実施例を図面を参照にして説明する。
【０００７】
図１及び図２に示す実施例では、コンクリートスラブ等の床基盤１００から複数の支持脚１により所定の高さに床２を支持し、支持脚１の下端にゴムや発泡体あるいは金属製バネなどの弾性体３を設けてある。そして、少なくとも床面周囲を支持する支持脚１、すなわち図１における黒く塗り潰した個所における支持脚１の弾性体を床基盤１００に固着してある。この実施例では、床２は、床下地パネル２０に複数の支持脚１を取付け、これら床下地パネル２０を複数枚並べて床基盤１００上に載置し、このとき床下地パネル２０同士の間隔はあけておき、これら床下地パネル１０の上に捨張２１を設け、捨張２１の上に仕上材２２を設けてある。図１は、床下地パネル２０を敷き並べた状態の平面図を示し、床面周囲に位置する支持脚１を床基盤１００に固着したものである。支持脚１は床高さを調整できるように構成してある。
【０００８】
支持脚１の弾性体３の床基盤１００への固着個所の詳細を図３に示す。この例では、弾性体３の底面と床基盤１００との間に接着剤４を設け、弾性体３を床基盤１００に接着することにより、支持脚１の固着を図っている。
【０００９】
図４は、図１乃至図３に示す実施例の床構造において、重量床衝撃音遮断性能を測定する状態を示すものであり、タイヤ２００を床２に落下させた状態を示す。図２８に示すような支持脚１０１が床基盤１００に全く固着されていない状態に比較し、床２の周囲を支持する支持脚１を床基盤１００に固着したものでは、床２に生ずる曲げ波が少なくなる。
【００１０】
図５は、床２の周囲に際根太５を使用し、床下地パネル２０上に直接仕上材２２を貼り付けた例を示し、この際根太５に雌ねじ部材６を設け（図６参照）、これら雌ねじ部材６に支持脚１の上端側をねじ込むようになっている。支持脚１は、図７に示すように、上端側と下端側に雄ねじ１Ａ，１Ｂが形成してあり、それぞれの雄ねじ１Ａ，１Ｂは互いに逆ねじとなっている。また、弾性体３には受金具７を設けてあり、この受金具７の内周面に切られた雌ねじに雄ねじ１Ｂがねじ込まれる。この受金具７の下端は弾性体３の底面から１〜５ｍｍ上方に位置するまで弾性体３内へ挿入されている。この受金具７の下端が弾性体３の圧縮時にストッパとなり、この受金具７の下端が床基盤１００に衝突した状態以上に弾性体３は圧縮しないようになっている。
【００１１】
図８は図５乃至図７に示す実施例においてタイヤ２００を床２に落下させた状態を示す図である。このように際根太５を使用し、際根太５に支持脚１を設け、支持脚１の弾性体３を床基盤１００に固着した場合では、図２９に示すような振動の伝播は生じにくいことが判明した。
【００１２】
図９及び図１０は弾性体３の個所の変形例をそれぞれ示し、このような弾性体３は床基盤１００に固着される個所に用いて好適である。図９では、弾性体３の底面の面積を大きくし、床基盤１００との接着信頼性を向上させたものである。図１０に示す例は、図９に示す例と同様に弾性体３の底面の面積を広げ、接着面積を拡大するとともに、受金具７の下面にエンボス状の加工を施し、初期ばねを小さく、荷重が加わったときのばねを大きくし、防振機能と沈み込みの抑制を両立させたものである。エンボスを符号７Ａで示す。これら図９及び図１０に示すような弾性体３は、必ずしも支持脚１の固定個所にのみ使用するものではなく、その他の個所の支持脚１に取付けることもできる。
【００１３】
図１１に示すグラフは、床２の周囲を支持する支持脚１を床基盤１００に固着したものと、支持脚をすべて床基盤には固着しないものとの床衝撃音レベルを比較したものである。この測定結果からも明らかなように、床２の周囲を支持する支持脚１を床基盤１００に固着したものの方が遮音性能が向上していることが判る。
【００１４】
上述したいずれの実施例も、床２の周囲の支持脚１の弾性体３を床基盤１００に固着したが、すべての支持脚１の弾性体３を床基盤１００に固着することもできる。すべての支持脚を床基盤１００に固着した場合と、すべての支持脚を固着しない場合との床衝撃音レベルの測定結果を図１２のグラフに示す。
【００１５】
図１３に示す実施例では、コンクリートスラブ等の床基盤１００から複数の支持脚１により所定の高さに床２を支持し、支持脚１の下端に弾性体３を設け、床２を支持脚１が取付けられた床下地パネル２０を複数並べ、これら床下地パネル２０上に捨張２１を設け、捨張２１上に仕上材２２を設けて形成した場合、各床下地パネル２０の同一方向片側に取付けられた支持脚１のみを床基盤１００に固着したものである。捨張２１を床下地パネル２０上に設けたものでは、床下地パネル２０同士が捨張２１により連結されるため、床基盤１００に固着されていない支持脚１は、隣接する固着された支持脚１の近傍にあるので、支持脚１を全部固着したと同様の効果が得られ、施工の簡略化を図ることもできる。
【００１６】
図１４及び図１５に示す実施例は、振動対策を施したい周波数帯域における床の振動モードを解析して振動の振幅が最大となる位置、すなわち図面上円で囲んだ符号Ｘの個所に位置する支持脚１のみを床基盤１００に固着する例を示すものである。Ｘで示す位置は振動の振幅が最大となる位置である。この個所の支持脚１を床基盤１００に固着することにより床２の振幅を効果的に抑制することができる。
【００１７】
支持脚１の弾性体３の固着に接着剤４を用いたが、図１６及び図１７に示すように両面粘着テープ８を用いることもできる。
【００１８】
接着剤４で支持脚１の弾性体３を床基盤１００に固着する仕方として、支持脚１の内部に上下に貫通する注入孔１Ｃを形成し、弾性体３の内部にこの注入孔１Ｃに連通する貫通孔３Ａを形成するとともに、弾性体３の底面に複数の溝３Ｂを形成し、注入孔１Ｃから貫通孔３Ａへ接着剤４を注入し、注入された接着剤４が溝３Ｂに入って床基盤１００と弾性体３とを固着するようにすることができる。溝３Ｂは、図１９に示すように、弾性体３の底面に放射状に形成し、中心から外周に向けて徐々に深さが浅くなるように形成してある。
【００１９】
さらに、弾性体３を床基盤１００に固着する仕方として、中空（パイプ状）の支持脚１を用いずに、中実の棒状体で上下端に逆ねじを形成した支持脚１の外周面から中心に向けて削った軸方向に沿った溝１Ｄを設け、この溝１Ｄから接着剤４を注入することもできる（図２０参照）。パイプ状の支持脚１よりも棒状の支持脚１の方が安価であり、溝１Ｄの加工も簡単である。この溝１Ｄは図２１に示すように複数設けてもよい。
【００２０】
図２２に示す実施例では、弾性体３の貫通孔３Ａに受金具７が嵌め込まれ、この受金具７のフランジ部７Ａは弾性体３の上面に形成した突起３Ｃ上に載置される。また、弾性体３の上面外周を立上らせて上端を内側へ折り曲げ、この折曲部３Ｄでフランジ部７Ａの外周縁を挟む。この弾性体３の折曲部３Ｄにより床に衝撃力が加わったときのリバウンドにより受金具７が上方に抜け出るのを防止する。この受金具７の内周面には雌ねじ７Ｂが形成してある。この雌ねじ７Ｂに図１８や図２０に示すような支持脚１がねじ込まれる。
【００２１】
図２３に示す実施例では、受金具７のフランジ部７Ａから下部の下端が外側に折り曲げられてこの折曲部７Ｃが弾性体３の貫通孔３Ａの下面と係合するようになっている。
【００２２】
図２４に示すさらに別の実施例では、フランジ部７Ａの外周から下方に延びてその下端に内側に延びる爪部７Ｄを有する係合部７Ｅを設け、この係合部７Ｅの爪部７Ｄが弾性体３に係合するようになっている。
【００２３】
弾性体３に形成された突起３Ｃは、図２２乃至図２４に示すいずれの実施例でも半球状のものであり、フランジ部７Ａの下面に点接触するようにしたが、図２５に示すように貫通孔３Ａから放射線状に延びる突起３Ｃであってもよい。
【００２４】
図２６は図２３に示す突起３Ｃを示す。また、図２７は、貫通孔３Ａと同心円状にリング状の突起３Ｃを設けた例を示すものである。
【００２５】
【発明の効果】
以上説明したように、少なくとも床面周囲を支持する支持脚の弾性体を床基盤に固着することにより、支持脚を床基盤に全く固着しないものに比較して重量床衝撃音遮断性能が向上する。また、床下地パネル上に捨張を設け、捨張上に仕上材を設けた場合には、各床下地パネルの同一方向片側に取付けられた支持脚の弾性体のみを床基盤に固着することにより、全部の支持脚を床基盤に固着したと同様の衝撃音遮断性能を得ることができる。また、振動対策を施したい周波数帯域における床の振動モードを解析して振動の振幅が最大となる位置に配された支持脚の弾性体を床基盤に固着した場合にも、床衝撃音遮断性能を向上させることができる。さらにまた、支持脚内部に上下に貫通する注入孔を形成し、弾性体内部にこの注入孔に連通する貫通孔を形成するとともに、弾性体底面に複数の溝を形成し、注入孔から貫通孔へ接着剤を注入し、注入された接着剤が溝に入って床基盤と弾性体とを固着するようにしたものでは、支持脚の床基盤への固着を容易に行うことができる。特に、支持脚のレベル調整を図ったのちに、所望の支持脚を床上から床基盤に接着できるので、施工能率が著しく向上する。
【図面の簡単な説明】
【図１】この発明の好適な実施例を示す平面図。
【図２】正面略図。
【図３】支持脚固定個所の拡大正面図。
【図４】タイヤを床上に落下させた状態の図。
【図５】床の周囲に際根太を用いた例を示す正面断面図。
【図６】図５で用いる際根太の斜視図。
【図７】際根太個所に用いる支持脚の断面図。
【図８】際根太を使用した実施例におけるタイヤ落下時の図。
【図９】弾性体の変形例を示す正面図。
【図１０】弾性体のさらに他の変形例を示す正面図。
【図１１】支持脚固着なしのものと周囲支持脚固着したものとの床衝撃音レベルを比較したグラフ。
【図１２】支持脚固着なしのものと全支持脚を固着したものとの床衝撃音レベルを比較したグラフ。
【図１３】さらに他の実施例を示す正面図。
【図１４】ある周波数帯域における振動の最大振幅個所を示す図。
【図１５】図１４とは異なる周波数帯域における振動の最大振幅個所を示す図。
【図１６】両面粘着テープを用いて支持脚を固着する方法を示す斜視図。
【図１７】両面粘着テープで支持脚を固着した状態の斜視図。
【図１８】接着剤を用いて支持脚を固着する方法の一例を示す断面図。
【図１９】弾性体の底面図。
【図２０】支持脚の他の例を示す斜視図。
【図２１】支持脚のさらに他の例を示す平面図。
【図２２】別の実施例を示す半断面図。
【図２３】他の実施例を示す一部破断の断面図。
【図２４】さらに他の実施例を示す正面図。
【図２５】弾性体に形成した突起の他の例を示す斜視図。
【図２６】図２３に示す弾性体の突起を示す斜視図。
【図２７】さらに別の突起の例を示す斜視図。
【図２８】従来例におけるタイヤ落下時の床面の振動を示す図。
【図２９】際根太を用いた従来のタイヤ落下時の床面の振動を示す図。
【符号の説明】
１  支持脚
２  床
３  弾性体
【図１】
0004205829.tif 000002
【図２】
0004205829.tif 000003
【図３】
0004205829.tif 000004
【図４】
0004205829.tif 000005
【図５】
0004205829.tif 000006
【図６】
0004205829.tif 000007
【図７】
0004205829.tif 000008
【図８】
0004205829.tif 000009
【図９】
0004205829.tif 000010
【図１０】
0004205829.tif 000011
【図１１】
0004205829.tif 000012
【図１２】
0004205829.tif 000013
【図１３】
0004205829.tif 000014
【図１４】
0004205829.tif 000015
【図１５】
0004205829.tif 000016
【図１６】
0004205829.tif 000017
【図１７】
0004205829.tif 000018
【図１８】
0004205829.tif 000019
【図１９】
0004205829.tif 000020
【図２０】
0004205829.tif 000021
【図２１】
0004205829.tif 000022
【図２２】
0004205829.tif 000023
【図２３】
0004205829.tif 000024
【図２４】
0004205829.tif 000025
【図２５】
0004205829.tif 000026
【図２６】
0004205829.tif 000027
【図２７】
0004205829.tif 000028
【図２８】
0004205829.tif 000029
【図２９】
0004205829.tif 000030